(57)【要約】      （修正有）【課題】専門の工事会社に取付け工事を依頼するまでもなく手軽に必要とする位置に移動することができ、安心して使うことができる転倒防止用縦支柱を提供する。【解決手段】特に見えない天井裏の桟や野縁等を活用する手段として、下地構造すなわち桟や野縁等の間隔が少なくとも５００ｍｍ以内であることに着目し、長手６００ｍｍ〜１０００ｍｍの十字型の天井受け部材を縦支柱の上面に設けることにより解決できる。また、過度な荷重を天井受け部材の一点に集中させないように、縦支柱と天井受け部材の接点は２点以上となるよう、縦支柱に接続した補助支持部材で天井受け部材を支持する構造になっている。さらに、縦支柱の取り付け位置を任意に選べるように十字型の部材にガイド溝を設けることで縦支柱の位置を微調整することが可能となる。【選択図】図１
0003151471.tif 000002
【実用新案登録請求の範囲】
【請求項１】
床面または機材上面と天井面で突っ張り支持する移動可能な縦支柱において、
（１）長手方向の長さが６００ｍｍ〜１０００ｍｍの十字型の天井受け部材を縦支柱の上面に備え、
（２）天井受け部材を縦支柱及び補助支持部材の２点以上で支え、
（３）補助支持部材の一端が縦支柱に、もう一端は天井受け部材に取り付けられた
ことを特徴とする伸縮調整、ロック可能な縦支柱。
【請求項２】
天井受け部材に設けられた十字型のガイド溝に沿い、縦支柱の位置が微調整でき、縦支柱の位置の微調整に伴い、補助支持部材は角度が可変な部材を介し縦支柱と天井受け部材に接続され、補助支持部材自体が伸縮調整、ロック可能であることを特徴とする請求項１に記載の縦支柱。
【考案の詳細な説明】
【技術分野】
【０００１】  本考案は要介護者の自立をサポートする移動可能な縦手すり支柱や室内の家具、書棚、電化機器等、機材の転倒防止のための縦支柱に関するものである。
【背景技術】
【０００２】  室内において、要介護者が立ち上がったり、しゃがんだりする際に体を支える縦手すりにおいて、固定型あるいは移動型が使われてきたが、従来のこれらの手すりは手すりを固定する床面と天井面の十分な支持強度が確保できる部位に据え付けられている。一旦、手すり支柱を床面と天井面に取り付けてしまうと、取り付け位置を変更したい場合は、その位置が強度上問題ないか否かを確認する必要があり、専門業者に再度、取り付け工事を依頼する必要があった。特に室内の床面と天井面で支持する移動型において、安易に取り付け位置を変更すると、天井側の位置によっては、天井裏に隠れた桟や野縁等（強度を有する天井材の下地）の強度が有効に活用されず、天井壁材の破損や変形が生じていた。また、従来の天井面を支える天井受け部材と支柱は一体化し、１点で固定されているため、天井面から受ける荷重がその一点に集中、天井受け部材の破損、変形するという問題があった。これらの強度不足が原因で縦手すり支柱に力をかけた際、天井壁材の破損や変形が生じ、手すり支柱が傾倒、要介護者が転倒するという不具合がしばしば起こっていた。また、手すりの位置を微調整したくても手すり支柱と天井受け部材が固定一体化されているため微調整ができない構造となっていた。
また、室内の家具、書棚、電化機器等の機材は地震等の揺れにより転倒する恐れがあるため、機材上面と天井面に突っ張り型の縦支柱を使い転倒防止を図っていた。
この場合も同様に、天井側の位置によっては、天井裏に隠れた桟や野縁等（強度を有する天井材の下地）の強度が有効に活用されず、天井壁材の破損や変形が生じ、機材が転倒する不具合が生じていた。要介護者の自立をサポートする移動可能な縦手すり支柱や室内の家具、書棚、電化機器等、機材の転倒防止のための縦支柱を総称して以下、縦支柱と称する。
【先行技術文献】
【特許文献】
【０００３】
【特許文献１】  特開２００３−２０６６４０号  公報
【特許文献２】  特開２００２−２２０９０６号  公報
【非特許文献】
【０００４】
【非特許文献１】  「株式会社柴橋商会  介護用品カタログＶｏｌ．１１」ｐ．１５３（てすり・バーディー１）
【非特許文献２】  ホクメイ株式会社ホームページ  ｈｔｔｐ：／／ｗｗｗ．ｄｉｐｐｅｒ−ｈｏｋｕｍｅｉ．ｃｏ．ｊｐ／ｉｎｄｅｘ２／ｉｎｄｅｘ２．ｈｔｍｌ  ベストポジションバー  ＴＡＩＳ  ＣＯＤＥ  ００２５４−００００１７  品番  ＮＢＰ−１００−８０
【考案の概要】
【考案が解決しようとする課題】
【０００５】  床面と天井面で支持する移動型手すりの縦支柱や室内の家具、書棚、電化機器等、機材の転倒防止のための縦支柱において、天井面の裏側にある桟や野縁等の強度を有効に活用するためには下地構造を知る必要があるが、特段の専門的な知識がなく下地構造を知らない人でも、本考案の縦支柱であれば必要とする位置に取り付けても天井面を支える見えない桟や野縁等を活用することが可能になる。また、過度な荷重を一点に集中させない構造になっており天井受け部材が破損、変形することがない。さらに、縦支柱位置の微調整が可能であり必要とする身近な場所に設置することができる。本考案は前述の欠点を解決しようとするものである。
【課題を解決するための手段】
【０００６】  本考案は、特に見えない天井裏の桟や野縁等を活用する方法として、下地構造すなわち桟や野縁等の間隔が少なくとも５００ｍｍ以内であり、また桟や野縁等と直行する桟や野縁受けの間隔が一般的に９１０ｍｍ程度であることに着目し、長手６００ｍｍ〜１０００ｍｍの十字型の天井受け部材を縦支柱の上面に設けることにより解決できる。また、過度な荷重を天井受け部材の一点に集中させないように、縦支柱と天井受け部材の接点は２点以上となるよう、縦支柱に接続した補助支持部材で天井受け部材を支持する構造になっている。さらに、縦支柱の取り付け位置を任意に選べるように十字型の部材にガイド溝を設けることで縦支柱の位置を微調整することが可能となる。
【考案の効果】
【０００７】上述のように、本考案の縦支柱は特に専門の工事会社に取付け工事を依頼するまでもなく手軽に必要とする位置に移動することができ、縦支柱の転倒の心配がなくなり安心して使うことができる。
【図面の簡単な説明】
【０００８】
【図１】本考案の天井受け部材の一実施例を示す側面図である。
【図２】本考案の天井受け部材の一実施例を示す平面図である。
【図３】本考案の縦手すり支柱の一実施例を示す全体図である。
【図４】一般的な天井下地構造を示す全体図である。
【図５】両端に角度可変部材（ピン構造）を有する一般的な伸縮調整可能な部材（ターンバックル）を示す平面図である。
【図６】一般的な角度及び回転可変部材を示す全体図である。
【考案を実施するための形態】
【０００９】  室内用の移動型の縦支柱は一般的に実施されている方式の床面や機材上面と天井面を突っ張ることにより保持固定される。天井面の裏側にある桟や野縁等の強度を有効に活用するために、長手６００ｍｍ〜１０００ｍｍの十字型の天井受け部材が縦支柱の上部に２点以上の支持で取り付けられ、縦支柱の位置は天井受け部材の十字型のガイド溝を介し自在に移動できるようになっている。また、過度な荷重を支柱と天井受け部材の一点に集中させないよう、天井受け部材の他点から補助支持部材を介し荷重を分散できる構造になっている。これらの補助支持部材は伸縮できる部材を有し、天井受け部材と縦支柱をしっかり固定することができる。さらに、手すりの位置の微調整に伴い補助支持部材の縦支柱への取り付けは角度自在に且つ支柱の回りに回転できるように取り付けることができる構造になっている。縦支柱本体及び関連部材の材質は特に金属、木材、プラスチックス等に限定されるものではなく一般的に目的とする荷重に耐えられる相当の強度、太さを有するものであれば良い。一般的には縦支柱の太さは直径４０〜５０ｍｍ程度のパイプ状のもので良い。以下、具体的な要介護者の自立をサポートする移動可能な縦手すりの実施例を詳細に示すが、本考案はこれに限定されるものではない。
【実施例】
【００１０】  図３は本発明に係る室内用の伸縮式の突っ張り型縦手すり支柱３を示しており、縦手すり支柱３の上端の天井受け部材４を介し天井面２に接し、床面１と上下にスライド自在な伸縮部材９で突っ張り固定されている。縦手すり支柱３の上端に設けられている長手６００ｍｍの十字型の天井受け部材４は縦手すり支柱３と補助支持部材６の２点以上で支えられている。これらの補助支持部材６は伸縮できる部材１０を有し、天井受け部材４と縦手すり支柱３をしっかり突っ張り固定することができる。縦手すり支柱の伸縮用部材９及び補助支持部材の伸縮部材１０は共に固定時は伸縮動が不能になるよう一般的に採用されている方法を用いたロック保持する機能を有する。
縦支柱及び関連部材は必要十分な強度を持った外径４５ｍｍの円筒状及び棒状鉄系金属材料でできている。【００１１】  図１は長手６００ｍｍ、幅１１０ｍｍの十字型の天井受け部材４の側面図を示しており、補助支持部材６で支えられている。補助支持部材６は伸縮調整且つロック機能を有し、一端は天井受け部材４の十字型の端４箇所にある内の一箇所の補助支持部材接続用角度可変部材（ピン構造）７にそしてもう一端は縦手すり支柱３の補助支持部材接続用角度及び回転可変部材８のピン構造部７に接続している。縦手すり支柱３の位置微調整が済むと部材１２でロックできる。【００１２】  図２は長手６００ｍｍ、幅１１０ｍｍの十字型の天井受け部材４の平面図を示しており、十字型のガイド溝５（幅３５ｍｍ、長さ５００ｍｍ、深さ１０ｍｍ）が設けられ縦手すり支柱の位置が自在に移動できるようになっている。縦手すり支柱の位置の固定はロック用の部材１２を用いる一般的に採用されている方法で良い。【００１３】  図４は一般的な天井下地構造と天井壁の全体図を示す。すなわち、桟や野縁の間隔は３０３ｍｍの事例を示しているが一般的にはどれも５００ｍｍ以下である。また、桟や野縁を支える野縁受けの間隔が一般的に９１０ｍｍであることを示している。【００１４】  図５〜図６に示す部材は縦支柱の付属品に関するものであり、市販品として一般的に用いられる部材を使っている。【００１５】  以上、図１、図２、図３、図４、図５、図６に示した方法により、本考案の縦手すり支柱を用い室内の不特定な数箇所に場所を変え据え付けて、６０Ｋｇの全体重を縦手すりにかける試験をしたが、天井受け部材及び天井壁は変形、破損することがなかった。
【産業上の利用可能性】
【００１６】  要介護者の自立をサポートする室内における移動可能な縦手すり支柱や地震等の大きな揺れが発生した際、室内の家具、書棚、電化機器等、機材の転倒防止のための縦支柱に関する考案であり、介護老人ホーム、賃貸住宅、一般家庭、官公庁や企業の事務所、事業所、倉庫等で広範囲に利用できる。
【符号の説明】
【００１７】１    床面
２    天井面
３    縦手すり支柱
４    天井受け部材
５    天井受け部材に備わったガイド溝
６    補助支持部材
７    天井受け部材に取り付けられた補助支持部材接続用角度可変部材（ピン構造）
８    縦手すり支柱に取り付けられた補助支持部材接続用角度及び回転可変部材
９    縦手すり支柱用伸縮調整且つロック機能を有す部材
１０  補助支持部材用伸縮調整且つロック機能を有す部材
１１  桟や野縁（天井面の裏側の下地構造）
１２  天井受け部材と縦手すり支柱の位置をロックする機能を有する部材
【図１】
0003151471.tif 000003
【図２】
0003151471.tif 000004
【図３】
0003151471.tif 000005
【図４】
0003151471.tif 000006
【図５】
0003151471.tif 000007
【図６】
0003151471.tif 000008